【誤訳訂正書】
【提出日】令和1年7月2日(2019.7.2)
【誤訳訂正１】
【訂正対象書類名】明細書
【訂正対象項目名】００４３
【訂正方法】変更
【訂正の内容】
【００４３】
本明細書はまた、人の胃の中で展開するようになっている胃内装置を開示する。前記装置は、カテーテルの管腔内では１１０ｍｌ以下の第一の容積および７５ｃｍ以下の第一の長さを有する圧縮された展開前の形状および前記人の胃内では第一の複数の曲面によって規定され、多孔性で閉鎖した１２５ｍｌ以上の第二の容積を有する拡張された展開後の形状を有する第一の金網構造体；前記カテーテルの管腔内では１００ｍｌ以下の第三の容積および７０ｃｍ以下の第二の長さを有する圧縮された展開前の形状および前記人の胃内では第二の複数の曲面によって規定され、多孔性で閉鎖した１１０ｍｌ以上の第四の容積を有する拡張された展開後の形状を有する第二の金網構造体；および前記第一の金網構造体と前記第二の金網構造体を柔軟に連結する複数の柔軟性部材を含む。前記第一の金網構造体は、上部および下部をさらに含み、前記上部は、前記第二の容積の外側から前記第二の容積の内側に材料が入るようになっている第一の開口表面領域を有し、前記下部は第二の開口表面領域を有し、前記第一の金網構造体は、上部および下部をさらに含み、前記上部は第四の容積の外側から前記第四の容積の内側に材料が入るようになっている第三の開口表面領域を有し、前記下部は第四の開口表面領域を有し、前記複数の柔軟性部材は、第一の端部が前記第二の開口表面領域の第一の点に取り付けられ、第二の端部が前記第三の開口表面領域の第二の点に取り付けられた第一の柔軟性部材を備え、前記複数の柔軟性部材は、第一の端部が前記第二の開口表面領域の第三の点に取り付けられ、第二の端部が前記第三の開口表面領域の第四の点に取り付けられた第二の柔軟性部材を備え、前記第一の点は前記第三の点と異なり、前記第二の点は前記第四の点と異なる。
【誤訳訂正２】
【訂正対象書類名】明細書
【訂正対象項目名】００４４
【訂正方法】変更
【訂正の内容】
【００４４】
必要に応じて、前記第二の開口表面領域の前記第一の点から前記第三の開口表面領域の前記第二の点までの第一の柔軟性部材の長さは０．０１ｍｍ〜３００ｍｍの範囲である。
【誤訳訂正３】
【訂正対象書類名】明細書
【訂正対象項目名】００４５
【訂正方法】変更
【訂正の内容】
【００４５】
必要に応じて前記第二の開口表面領域の前記第三の点から前記第三の開口表面領域の前記第四の点までの第二の柔軟性部材の長さは０．０１ｍｍ〜１００ｍｍの範囲である。
前記第一の柔軟性部材と前記第二の柔軟性部材は１８０°離れていてもよい。
【誤訳訂正４】
【訂正対象書類名】明細書
【訂正対象項目名】００４６
【訂正方法】変更
【訂正の内容】
【００４６】
必要に応じて、前記複数の柔軟性部材は、第一の端部が前記第二の開口表面領域の第五の点に取り付けられ、第二の端部が前記第三の開口表面領域の第六の点に取り付けられた第三の柔軟性部材を備え、前記第五の点は前記第一の点および前記第三の点と異なり、前記第六の点は前記第二の点および前記第四の点と異なる。前記第二の開口表面領域の前記第五の点から前記第三の開口表面領域の前記第六の点までの前記第三の柔軟性部材の長さは０．０１ｍｍ〜３００ｍｍの範囲であってもよい。必要に応じて、前記複数の柔軟性部材は、第一の端部が前記第二の開口表面領域の第七の点に取り付けられ、第二の端部が前記第三の開口表面領域の第八の点に取り付けられた第四の柔軟性部材を備え、前記第七の点は前記第一の点、第三の点、および第五の点と異なり、前記第八の点は、前記第二の点、第四の点、および第六の点と異なる。前記第二の開口表面領域の前記第七の点から前記第三の開口表面領域の前記第八の点までの前記第四の柔軟性部材の長さは０．０１ｍｍ〜１００ｍｍの範囲であってもよい。
【誤訳訂正５】
【訂正対象書類名】明細書
【訂正対象項目名】００４８
【訂正方法】変更
【訂正の内容】
【００４８】
必要に応じて、前記複数の柔軟性部材のぞれぞれは、前記第二の金網構造体を圧縮せずに前記第一の金網構造体がその赤道直径の９５％まで圧縮することができるような長さを有する。
【誤訳訂正６】
【訂正対象書類名】明細書
【訂正対象項目名】００４９
【訂正方法】変更
【訂正の内容】
【００４９】
必要に応じて、複数の柔軟性部材のそれぞれは、前記第一の金網構造体を９０％超圧縮した場合に、前記第二の金網構造体は１０％以下になった第一の金網構造体に対する角変位を有するような長さを有し、前記角変位は、前記第一の金網構造体の中心、前記第一の開口表面領域の中心、および前記第二の開口表面領域の中心を通る第一の長手方向軸と前記第二の金網構造体の中心、前記第三の開口表面領域の中心、および前記第四の開口表面領域の中心を通る第二の長手方向軸との相対角度により規定される。
【誤訳訂正７】
【訂正対象書類名】明細書
【訂正対象項目名】０５７０
【訂正方法】変更
【訂正の内容】
【０５７０】
図３７Ｃに示すように、本明細書の一側面に従って、第一の金網構造体３７０１の第二群の結び目３７０１ｎの一部は、複数の十分に緩い縫い目又は縫合の結び目３７１０を用いて第二の金網構造体３７０２の第三群の結び目３７０２ｎの一部に柔軟に接続、連結、または取り付けられている。図３７Ｃには縫い目が示されているが、他の態様では、第一の金網構造体と第二の金網構造体の間の可撓性接続部は、任意の柔軟性部材（例えば、可撓金属線またはプラスチック構成要素）を含んでいてもよい。これらの他の態様では、縫い目は必要ではない。態様によっては、複数の縫い目３７１０は、少なくとも２つの独立した可撓性接続部または縫合点を含み、第一の金網構造体３７０１の第二群の結び目３７０１ｎの少なくとも２つの結び目は、第二の金網構造体３７０２の第三群の結び目３７０２ｎの少なくとも２つの結び目に柔軟に連結されている。好ましい一態様では、複数の縫い目３７１０は３つまたは４つの独立した可撓性接続部または縫合点を含む。様々な態様で、第一の金網構造体の下面の開口と第二の金網構造体の上面の開口の接続部の長さは、０ｍｍ〜３００ｍｍの範囲である。様々な態様で、第一の金網構造体の第二の金網構造体の接続部は、第二の金網構造体を圧縮せずに第一の金網構造体をその赤道直径の１％〜９９％、より好ましくは４０％〜９９％の範囲およびその増分まで圧縮することができるような長さを有する。様々な態様で、複数の縫い目３７１０は第二および第三の開口３７０６、３７０７の周囲に沿って等距離で分布している。図３７Ｅは、第一の金網構造体３７０１と第二の金網構造体３７０２を柔軟に接続するのに用いられる２つの接続部または縫合点３７１１を示す。一態様では、これら２つの接続部または縫合点３７１１は互いに１８０°離れている。
【誤訳訂正８】
【訂正対象書類名】明細書
【訂正対象項目名】０５８３
【訂正方法】変更
【訂正の内容】
【０５８３】
当然のことだが、本開示は、本発明のいくつかの例示的な態様を教示することを意図しており、本明細書で開示される特定の構造に限定されるものではない。当業者には自明であるが、開示される態様のその他の変形は、本出願に含まれ、さらに請求項で規定されるように本発明の範囲内である。
以下の項目［１］〜［４１］に、本発明の実施形態の例を列記する。
［１］
人の胃の中で展開するように構成された胃内装置であって、
前記胃内装置は、カテーテルと、第一の金網構造体と、第二の金網構造体と、接続部とを含み、
前記カテーテルは、筺体と、前記筺体を貫通して延びる２ｃｍ以下の内径を有する管腔を含み、
前記第一の金網構造体は、前記カテーテルの管腔内では圧縮された展開前の形状を、前記人の胃の中では拡張された展開後の形状を有し、前記展開前の形状は、１１０ｍｌ以下の第一の容積及び７５ｃｍ以下の第一の長さを有し、前記展開後の形状は、第一の複数の曲面により規定された、多孔性且つ閉鎖された１２５ｍｌ以上の第二の容積を有し、前記第一の金網構造体は、更に上部及び下部を含み、前記上部は、前記第二の容積の外側から前記第二の容積の内側に材料が入るように構成された複数の開口の第一の表面領域を有し、前記下部は、複数の開口の第二の表面領域を有し、
前記第二の金網構造体は、前記第一の金網構造体から分離しており、前記カテーテルの管腔内では圧縮された展開前の形状を、前記人の胃の中では拡張された展開後の形状を有し、前記展開前の形状は、１００ｍｌ以下の第三の容積及び７０ｃｍ以下の第二の長さを有し、前記展開後の形状は、第二の複数の曲面により規定された、多孔性且つ閉鎖された１１０ｍｌ以上の第四の容積を有し、前記第二の金網構造体は、さらに上部及び下部を有し、前記上部は、前記第四の容積の外から前記第四の容積の中に材料が入るように構成された、複数の開口の第三の表面領域を有し、前記下部は、複数の開口の第四の表面領域を有し、
前記接続部は、前記第一の金網構造体と第二の金網構造体を柔軟に連結すると共に、前記接続部は、第二の開口表面領域を規定する前記第一の金網構造体の部分と、第三の開口表面領域を規定する前記第二の金網構造体の部分との間に形成される、胃内装置。
［２］
前記第一の金網構造体及び前記第二の金網構造体は、前記カテーテルの管腔内に連続して配置されている、項目１に記載の胃内装置。
［３］
前記第一の複数の曲面の少なくとも１つは円弧によって規定され、前記円弧は０．２ｃｍ〜２０ｃｍの範囲の半径と５°〜１７５°の範囲の中心角により決定される、項目１に記載の胃内装置。
［４］
前記第二の複数の曲面の少なくとも１つは円弧によって規定され、前記円弧は０．１ｃｍ〜１５ｃｍの範囲の半径と１°〜１７９°の範囲の中心角により決定される、項目３に記載の胃内装置。
［５］
前記接続部は、前記第二の開口表面領域を規定する前記第一の金網構造体の複数の自由端の部分と、前記第三の開口表面領域を規定する前記第二の金網構造体の複数の自由端の部分との間に形成される、項目１に記載の胃内装置。
［６］
前記第一の金網構造体は、球形及び楕円形のうち少なくとも一方の形状を有する、項目１に記載の胃内装置。
［７］
前記第二の金網構造体は、球形及び楕円形のうち少なくとも一方の形状を有する、項目６に記載の胃内装置。
［８］
前記接続部は複数の縫い目を含む、項目１に記載の胃内装置。
［９］
前記複数の縫い目は、一方の端部が第二の開口表面領域上の第一の点に取り付けられ、第二の端部が前記第三の開口表面領域上の第二の点に取り付けられた第一の柔軟性縫い目を含む、項目８に記載の胃内装置。
［１０］
前記第二の開口表面領域の第一の点から前記第三の開口表面領域の第二の点までの接続部の長さは、０．０１ｍｍ〜２００ｍｍの範囲である、項目１に記載の胃内装置。
［１１］
前記複数の縫い目は、一方の端部が前記第二の開口表面領域の第三の点に取り付けられ、第二の端部が前記第三の開口表面領域の第四の点に取り付けられた第二の柔軟性縫い目を含み、前記第一の点は前記第三の点と異なり、前記第二の点は前記第四の点と異なる、項目９に記載の胃内装置。
［１２］
前記第二の開口表面領域の第三の点から前記第三の開口表面領域の第四の点までの接続部の長さは０．０１ｍｍ〜３００ｍｍの範囲である、項目１１に記載の胃内装置。
［１３］
前記第一の柔軟性縫い目と前記第二の柔軟性縫い目は１８０°離れている、項目１１に記載の胃内装置。
［１４］
前記複数の縫い目は、一方の端部が前記第二の開口表面領域の第五の点に取り付けられ、第二の端部が前記第三の開口表面領域の第六の点に取り付けられた第三の柔軟性縫い目を含み、前記第五の点は前記第一の点及び前記第三の点と異なり、前記第六の点は前記第二の点及び前記第四の点と異なる、項目１１に記載の胃内装置。
［１５］
前記第二の開口表面領域の第五の点から前記第三の開口表面領域の第六の点までの接続部の長さは０．０１ｍｍ〜３００ｍｍの範囲である、項目１４に記載の胃内装置。
［１６］
前記複数の縫い目は、一方の端部が前記第二の開口表面領域の第七の点に取り付けられ、第二の端部が前記第三の開口表面領域の第八の点に取り付けられた第四の柔軟性縫い目を含み、前記第七の点は前記第一の点、第三の点、及び第五の点とは異なり、前記第八の点は前記第二の点、第四の点、及び第六の点とは異なる、項目１４に記載の胃内装置。
［１７］
前記第二の開口表面領域の第七の点から前記第三の開口表面領域の第八の点までの接続部の長さは０．０１ｍｍ〜３００ｍｍの範囲である、項目１６に記載の胃内装置。
［１８］
前記第一の金網構造体及び第二の金網構造体は、すべての方向で互いに相対的な運動角度を有し、前記運動角度は、前記第一の金網構造体の中心、前記第一の開口表面領域の中心、及び前記第二の開口表面領域の中心を通る第一の長手方向軸、並びに前記第二の金網構造体の中心、前記第三の開口表面領域の中心、及び前記第四の開口表面領域の中心を通る第二の長手方向軸の間の角変位によって規定される、項目１に記載の胃内装置。
［１９］
前記角変位は９０°以下である、項目１８に記載の胃内装置。
［２０］
前記第一の金網構造体の前記第二の金網構造体との接続部は、前記第二の金網構造体を圧縮せずに前記第一の金網構造体をその赤道直径の９９％まで圧縮することができるような長さを有する、項目１に記載の胃内装置。
［２１］
前記第一の金網構造体の前記第二の金網構造体との接続部は、前記第一の金網構造体を９０％超圧縮した場合、前記第二の金網構造体は前記第一の金網構造体に対して１０％以下の角変位を有するような長さを有し、前記角変位は、前記第一の金網構造体の中心、前記第一の開口表面領域の中心、及び前記第二の開口表面領域の中心を通る第一の長手方向軸、並びに前記第二の金網構造体の中心、前記第三の開口表面領域の中心、及び前記第四の開口表面領域の中心を通る第二の長手方向軸の間の相対角によって規定される、項目１に記載の胃内装置。
［２２］
前記第一の金網構造体及び前記第二の金網構造体は、前記カテーテルの管腔内で接続部により接続されている、項目１に記載の胃内装置。
［２３］
前記第一の金網構造体及び前記第二の金網構造体は、前記カテーテルの管腔内で接続部により接続されていない、項目１に記載の胃内装置。
［２４］
前記接続部は、前記第二の開口表面領域の複数の自由端の部分と前記第三の開口表面領域の複数の自由端の部分とを編み込んで形成されている、項目１に記載の胃内装置。
［２５］
前記第二の容積及び前記第四の容積は胃の２５％〜９５％を占める、項目１に記載の胃内装置。
［２６］
近位端、遠位端、及び管腔を有するスリーブをさらに含み、前記近位端は前記第二の金網構造体の前記下部に連結され、前記遠位端は患者の十二指腸内に位置し、前記スリーブは前記遠位端で前記第四の開口表面領域及び第二の開口と流体連通する第一の開口をさらに含み、前記スリーブは前記胃内装置から前記十二指腸に食べ物を送るように構成されている、項目１に記載の胃内装置。
［２７］
前記第一の金網構造体は球状及び楕円形の形状の少なくとも一方を有し、前記第一の金網構造体は５ｍｌ超５０００ｍｌ未満の容積を有する、項目１に記載の胃内装置。
［２８］
前記第二の金網構造体は球状及び楕円形の形状の少なくとも一方を有し、前記第二の金網構造体は２０ｍｌ超４０００ｍｌ未満の容積を有する、項目２７に記載の胃内装置。
［２９］
人の胃の中で展開するように構成された胃内装置であって、
前記胃内装置は、第一の金網構造体と、第二の金網構造体と、複数の柔軟性部材とを含み、
前記第一の金網構造体は、前記カテーテルの管腔内では圧縮された展開前の形状を、前記人の胃の中では拡張された展開後の形状を有し、前記展開前の形状は、カテーテルの管腔内では１１０ｍｌ以下の第一の容積及び７５ｃｍ以下の第一の長さを有し、前記展開後の形状は、第一の複数の曲面によって規定された、多孔性且つ閉鎖された１２５ｍｌ以上の第二の容積を有し、前記第一の金網構造体は、上部及び下部をさらに含み、前記上部は、前記第二の容積の外側から前記第二の容積の中に材料が入るように構成された、複数の開口の第一の表面領域を有し、前記下部は、複数の開口の第二の表面領域を有し、
前記第二の金網構造体は、前記カテーテルの管腔内では圧縮された展開前の形状を、前記人の胃の中では拡張された展開後の形状を有し、前記展開前の形状は、１００ｍｌ以下の第三の容積及び７０ｃｍ以下の第二の長さを有し、前記展開後の形状は、第二の複数の曲面によって規定された、多孔性且つ閉鎖された１１０ｍｌ以上の第四の容積を有し、前記第一の金網構造体は、上部及び下部をさらに含み、前記上部は、第四の容積の外側から前記第四の容積の中に材料が入るように構成された、複数の開口の第三の表面領域を有し、前記下部は、複数の開口の第四の表面領域を有し、
前記複数の柔軟性部材は、前記第一の金網構造体と前記第二の金網構造体とを柔軟に連結すると共に、前記複数の柔軟性部材は、第一の柔軟性部材及び第二の柔軟性部材を含み、前記第一の柔軟性部材は、一方の端部が前記第二の開口表面領域の第一の点に取り付けられ、第二の端部が前記第三の開口表面領域の第二の点に取り付けられ、前記第二の柔軟性部材は、一方の端部が前記第二の開口表面領域の第三の点に取り付けられ、第二の端部が前記第三の開口表面領域の第四の点に取り付けられ、ここで前記第一の点は前記第三の点と異なり、前記第二の点は前記第四の点と異なる、胃内装置。
［３０］
前記第二の開口表面領域の第一の点から前記第三の開口表面領域の第二の点までの第一の柔軟性部材の長さは、０．０１ｍｍ〜３００ｍｍの範囲である、項目２９に記載の胃内装置。
［３１］
前記第二の開口表面領域の第三の点から前記第三の開口表面領域の第四の点までの第二の柔軟性部材の長さは、０．０１ｍｍ〜１００ｍｍの範囲である、項目３０に記載の胃内装置。
［３２］
前記第一の柔軟性部材と前記第二の柔軟性部材は１８０°離れている、項目２９に記載の胃内装置。
［３３］
前記複数の柔軟性部材は、一方の端部が前記第二の開口表面領域の第五の点に取り付けられ、第二の端部が前記第三の開口表面領域の第六の点に取り付けられた第三の柔軟性部材を備え、前記第五の点は前記第一の点及び前記第三の点と異なり、前記第六の点は前記第二の点及び前記第四の点と異なる、項目２９に記載の胃内装置。
［３４］
前記第二の開口表面領域の第五の点から前記第三の開口表面領域の第六の点までの前記第三の柔軟性部材の長さは０．０１ｍｍ〜３００ｍｍの範囲である、項目３３に記載の胃内装置。
［３５］
前記複数の柔軟性部材は、一方の端部が前記第二の開口表面領域の第七の点に取り付けられ、第二の端部が前記第三の開口表面領域の第八の点に取り付けられた第四の柔軟性部材を備え、前記第七の点は前記第一の点、第三の点、及び第五の点と異なり、前記第八の点は、前記第二の点、第四の点、及び第六の点と異なる、項目３３に記載の胃内装置。
［３６］
前記第二の開口表面領域の第七の点から前記第三の開口表面領域の第八の点までの前記第四の柔軟性部材の長さは０．０１ｍｍ〜１００ｍｍの範囲である、項目３５に記載の胃内装置。
［３７］
前記第一の金網構造体と前記第二の金網構造体は、すべての方向で互いに相対的な運動角度を有し、前記運動角度は、前記第一の金網構造体の中心、前記第一の開口表面領域の中心、及び前記第二の開口表面領域の中心を通る第一の長手方向軸と、前記第二の金網構造体の中心、前記第三の開口表面領域の中心、及び前記第四の開口表面領域の中心を通る第二の長手方向軸との角変位により規定される、項目２９に記載の胃内装置。
［３８］
前記角変位は９０°以下である、項目３７に記載の胃内装置。
［３９］
前記複数の柔軟性部材のぞれぞれは、前記第二の金網構造体を圧縮せずに前記第一の金網構造体がその赤道直径の９５％まで圧縮することができるような長さを有する、項目２９に記載の胃内装置。
［４０］
複数の柔軟性部材のそれぞれは、前記第一の金網構造体を９０％超圧縮した場合に、前記第二の金網構造体は１０％以下になった第一の金網構造体に対する角変位を有するような長さを有し、前記角変位は、前記第一の金網構造体の中心、前記第一の開口表面領域の中心、及び前記第二の開口表面領域の中心を通る第一の長手方向軸と前記第二の金網構造体の中心、前記第三の開口表面領域の中心、及び前記第四の開口表面領域の中心を通る第二の長手方向軸との相対角度により規定される、項目１に記載の胃内装置。
［４１］
人の胃の中で展開するように構成された胃内装置であって、
前記胃内装置は、カテーテルと、第一の金網構造体と、環とを含み、
前記カテーテルは、筺体と、前記筺体を貫通して延びる２ｃｍ以下の内径を有する管腔を含み、
前記第一の金網構造体は、前記カテーテルの管腔内では圧縮された展開前の形状を、前記人の胃の中では拡張された展開後の形状を有し、前記展開前の形状は、１１０ｍｌ以下の第一の容積及び７５ｃｍ以下の第一の長さを有し、前記展開後の形状は、第一の複数の曲面により規定され、多孔性で閉鎖した１２５ｍｌ以上の第二の容積を有し、前記第一の金網構造体は、第一の上部及び第一の下部をさらに含み、前記第一の上部は、前記第二の容積の外側から前記第二の容積の中に材料が入るように構成された第一の開口を有し、前記下部は、徐々に細くなって直径で規定された第二の開口の中に収まる、前記第一の複数の曲面の部分を有し、
前記環は、前記下部に取り付けられると共に、前記第二の開口の中心を通る軸を中心に三次元空間で半円を回転させてできる回転面により規定され、前記環は２５ｍｍ以上の直径により規定される、胃内装置。
【誤訳訂正９】
【訂正対象書類名】特許請求の範囲
【訂正対象項目名】全文
【訂正方法】変更
【訂正の内容】
【特許請求の範囲】
【請求項１】
人の胃の中で展開するように構成された胃内装置であって、
前記胃内装置は、カテーテルと、第一の金網構造体と、第二の金網構造体と、接続部とを含み、
前記カテーテルは、筺体と、前記筺体を貫通して延びる２ｃｍ以下の内径を有する管腔を含み、
前記第一の金網構造体は、前記カテーテルの管腔内では圧縮された展開前の形状を、前記人の胃の中では拡張された展開後の形状を有し、前記展開前の形状は、１１０ｍｌ以下の第一の容積及び７５ｃｍ以下の第一の長さを有し、前記展開後の形状は、第一の複数の曲面により規定された、多孔性且つ閉鎖された１２５ｍｌ以上の第二の容積を有し、前記第一の金網構造体は、更に上部及び下部を含み、前記上部は、前記第二の容積の外側から前記第二の容積の内側に材料が入るように構成された複数の開口の第一の表面領域を有し、前記下部は、複数の開口の第二の表面領域を有し、
前記第二の金網構造体は、前記第一の金網構造体から分離しており、前記カテーテルの管腔内では圧縮された展開前の形状を、前記人の胃の中では拡張された展開後の形状を有し、前記展開前の形状は、１００ｍｌ以下の第三の容積及び７０ｃｍ以下の第二の長さを有し、前記展開後の形状は、第二の複数の曲面により規定された、多孔性且つ閉鎖された１１０ｍｌ以上の第四の容積を有し、前記第二の金網構造体は、さらに上部及び下部を有し、前記上部は、前記第四の容積の外から前記第四の容積の中に材料が入るように構成された、複数の開口の第三の表面領域を有し、前記下部は、複数の開口の第四の表面領域を有し、
前記接続部は、前記第一の金網構造体と第二の金網構造体を柔軟に連結すると共に、前記接続部は、第二の開口表面領域を規定する前記第一の金網構造体の部分と、第三の開口表面領域を規定する前記第二の金網構造体の部分との間に形成される、胃内装置。
【請求項２】
前記第一の金網構造体及び前記第二の金網構造体は、前記カテーテルの管腔内に連続して配置されている、請求項１に記載の胃内装置。
【請求項３】
前記第一の複数の曲面の少なくとも１つは円弧によって規定され、前記円弧は０．２ｃｍ〜２０ｃｍの範囲の半径と５°〜１７５°の範囲の中心角により決定される、請求項１に記載の胃内装置。
【請求項４】
前記第二の複数の曲面の少なくとも１つは円弧によって規定され、前記円弧は０．１ｃｍ〜１５ｃｍの範囲の半径と１°〜１７９°の範囲の中心角により決定される、請求項３に記載の胃内装置。
【請求項５】
前記接続部は、前記第二の開口表面領域を規定する前記第一の金網構造体の複数の自由端の部分と、前記第三の開口表面領域を規定する前記第二の金網構造体の複数の自由端の部分との間に形成される、請求項１に記載の胃内装置。
【請求項６】
前記第一の金網構造体は、球形及び楕円形のうち少なくとも一方の形状を有する、請求項１に記載の胃内装置。
【請求項７】
前記第二の金網構造体は、球形及び楕円形のうち少なくとも一方の形状を有する、請求項６に記載の胃内装置。
【請求項８】
前記接続部は複数の縫い目を含む、請求項１に記載の胃内装置。
【請求項９】
前記複数の縫い目は、一方の端部が第二の開口表面領域上の第一の点に取り付けられ、第二の端部が前記第三の開口表面領域上の第二の点に取り付けられた第一の柔軟性縫い目を含む、請求項８に記載の胃内装置。
【請求項１０】
前記第二の開口表面領域の第一の点から前記第三の開口表面領域の第二の点までの接続部の長さは、０．０１ｍｍ〜２００ｍｍの範囲である、請求項１に記載の胃内装置。
【請求項１１】
前記複数の縫い目は、一方の端部が前記第二の開口表面領域の第三の点に取り付けられ、第二の端部が前記第三の開口表面領域の第四の点に取り付けられた第二の柔軟性縫い目を含み、前記第一の点は前記第三の点と異なり、前記第二の点は前記第四の点と異なる、請求項９に記載の胃内装置。
【請求項１２】
前記第二の開口表面領域の第三の点から前記第三の開口表面領域の第四の点までの接続部の長さは０．０１ｍｍ〜３００ｍｍの範囲である、請求項１１に記載の胃内装置。
【請求項１３】
前記第一の柔軟性縫い目と前記第二の柔軟性縫い目は１８０°離れている、請求項１１に記載の胃内装置。
【請求項１４】
前記複数の縫い目は、一方の端部が前記第二の開口表面領域の第五の点に取り付けられ、第二の端部が前記第三の開口表面領域の第六の点に取り付けられた第三の柔軟性縫い目を含み、前記第五の点は前記第一の点及び前記第三の点と異なり、前記第六の点は前記第二の点及び前記第四の点と異なる、請求項１１に記載の胃内装置。
【請求項１５】
前記第二の開口表面領域の第五の点から前記第三の開口表面領域の第六の点までの接続部の長さは０．０１ｍｍ〜３００ｍｍの範囲である、請求項１４に記載の胃内装置。
【請求項１６】
前記複数の縫い目は、一方の端部が前記第二の開口表面領域の第七の点に取り付けられ、第二の端部が前記第三の開口表面領域の第八の点に取り付けられた第四の柔軟性縫い目を含み、前記第七の点は前記第一の点、第三の点、及び第五の点とは異なり、前記第八の点は前記第二の点、第四の点、及び第六の点とは異なる、請求項１４に記載の胃内装置。
【請求項１７】
前記第二の開口表面領域の第七の点から前記第三の開口表面領域の第八の点までの接続部の長さは０．０１ｍｍ〜３００ｍｍの範囲である、請求項１６に記載の胃内装置。
【請求項１８】
前記第一の金網構造体及び第二の金網構造体は、すべての方向で互いに相対的な運動角度を有し、前記運動角度は、前記第一の金網構造体の中心、前記第一の開口表面領域の中心、及び前記第二の開口表面領域の中心を通る第一の長手方向軸、並びに前記第二の金網構造体の中心、前記第三の開口表面領域の中心、及び前記第四の開口表面領域の中心を通る第二の長手方向軸の間の角変位によって規定される、請求項１に記載の胃内装置。
【請求項１９】
前記角変位は９０°以下である、請求項１８に記載の胃内装置。
【請求項２０】
前記第一の金網構造体の前記第二の金網構造体との接続部は、前記第二の金網構造体を圧縮せずに前記第一の金網構造体をその赤道直径の９９％まで圧縮することができるような長さを有する、請求項１に記載の胃内装置。
【請求項２１】
前記第一の金網構造体の前記第二の金網構造体との接続部は、前記第一の金網構造体を９０％超圧縮した場合、前記第二の金網構造体は前記第一の金網構造体に対して１０％以下の角変位を有するような長さを有し、前記角変位は、前記第一の金網構造体の中心、前記第一の開口表面領域の中心、及び前記第二の開口表面領域の中心を通る第一の長手方向軸、並びに前記第二の金網構造体の中心、前記第三の開口表面領域の中心、及び前記第四の開口表面領域の中心を通る第二の長手方向軸の間の相対角によって規定される、請求項１に記載の胃内装置。
【請求項２２】
前記第一の金網構造体及び前記第二の金網構造体は、前記カテーテルの管腔内で接続部により接続されている、請求項１に記載の胃内装置。
【請求項２３】
前記第一の金網構造体及び前記第二の金網構造体は、前記カテーテルの管腔内で接続部により接続されていない、請求項１に記載の胃内装置。
【請求項２４】
前記接続部は、前記第二の開口表面領域の複数の自由端の部分と前記第三の開口表面領域の複数の自由端の部分とを編み込んで形成されている、請求項１に記載の胃内装置。
【請求項２５】
前記第二の容積及び前記第四の容積は胃の２５％〜９５％を占める、請求項１に記載の胃内装置。
【請求項２６】
近位端、遠位端、及び管腔を有するスリーブをさらに含み、前記近位端は前記第二の金網構造体の前記下部に連結され、前記遠位端は患者の十二指腸内に位置し、前記スリーブは前記遠位端で前記第四の開口表面領域及び第二の開口と流体連通する第一の開口をさらに含み、前記スリーブは前記胃内装置から前記十二指腸に食べ物を送るように構成されている、請求項１に記載の胃内装置。
【請求項２７】
前記第一の金網構造体は球状及び楕円形の形状の少なくとも一方を有し、前記第一の金網構造体は５ｍｌ超５０００ｍｌ未満の容積を有する、請求項１に記載の胃内装置。
【請求項２８】
前記第二の金網構造体は球状及び楕円形の形状の少なくとも一方を有し、前記第二の金網構造体は２０ｍｌ超４０００ｍｌ未満の容積を有する、請求項２７に記載の胃内装置。
【請求項２９】
人の胃の中で展開するように構成された胃内装置であって、
前記胃内装置は、カテーテルと、第一の金網構造体と、第二の金網構造体と、複数の柔軟性部材とを含み、
前記第一の金網構造体は、前記カテーテルの管腔内では圧縮された展開前の形状を、前記人の胃の中では拡張された展開後の形状を有し、前記展開前の形状は、カテーテルの管腔内では１１０ｍｌ以下の第一の容積及び７５ｃｍ以下の第一の長さを有し、前記展開後の形状は、第一の複数の曲面によって規定された、多孔性且つ閉鎖された１２５ｍｌ以上の第二の容積を有し、前記第一の金網構造体は、上部及び下部をさらに含み、前記上部は、前記第二の容積の外側から前記第二の容積の中に材料が入るように構成された、複数の開口の第一の表面領域を有し、前記下部は、複数の開口の第二の表面領域を有し、
前記第二の金網構造体は、前記カテーテルの管腔内では圧縮された展開前の形状を、前記人の胃の中では拡張された展開後の形状を有し、前記展開前の形状は、１００ｍｌ以下の第三の容積及び７０ｃｍ以下の第二の長さを有し、前記展開後の形状は、第二の複数の曲面によって規定された、多孔性且つ閉鎖された１１０ｍｌ以上の第四の容積を有し、前記第一の金網構造体は、上部及び下部をさらに含み、前記上部は、第四の容積の外側から前記第四の容積の中に材料が入るように構成された、複数の開口の第三の表面領域を有し、前記下部は、複数の開口の第四の表面領域を有し、
前記複数の柔軟性部材は、前記第一の金網構造体と前記第二の金網構造体とを柔軟に連結すると共に、前記複数の柔軟性部材は、第一の柔軟性部材及び第二の柔軟性部材を含み、前記第一の柔軟性部材は、一方の端部が前記第二の開口表面領域の第一の点に取り付けられ、第二の端部が前記第三の開口表面領域の第二の点に取り付けられ、前記第二の柔軟性部材は、一方の端部が前記第二の開口表面領域の第三の点に取り付けられ、第二の端部が前記第三の開口表面領域の第四の点に取り付けられ、ここで前記第一の点は前記第三の点と異なり、前記第二の点は前記第四の点と異なる、胃内装置。
【請求項３０】
前記第二の開口表面領域の第一の点から前記第三の開口表面領域の第二の点までの第一の柔軟性部材の長さは、０．０１ｍｍ〜３００ｍｍの範囲である、請求項２９に記載の胃内装置。
【請求項３１】
前記第二の開口表面領域の第三の点から前記第三の開口表面領域の第四の点までの第二の柔軟性部材の長さは、０．０１ｍｍ〜１００ｍｍの範囲である、請求項３０に記載の胃内装置。
【請求項３２】
前記第一の柔軟性部材と前記第二の柔軟性部材は１８０°離れている、請求項２９に記載の胃内装置。
【請求項３３】
前記複数の柔軟性部材は、一方の端部が前記第二の開口表面領域の第五の点に取り付けられ、第二の端部が前記第三の開口表面領域の第六の点に取り付けられた第三の柔軟性部材を備え、前記第五の点は前記第一の点及び前記第三の点と異なり、前記第六の点は前記第二の点及び前記第四の点と異なる、請求項２９に記載の胃内装置。
【請求項３４】
前記第二の開口表面領域の第五の点から前記第三の開口表面領域の第六の点までの前記第三の柔軟性部材の長さは０．０１ｍｍ〜３００ｍｍの範囲である、請求項３３に記載の胃内装置。
【請求項３５】
前記複数の柔軟性部材は、一方の端部が前記第二の開口表面領域の第七の点に取り付けられ、第二の端部が前記第三の開口表面領域の第八の点に取り付けられた第四の柔軟性部材を備え、前記第七の点は前記第一の点、第三の点、及び第五の点と異なり、前記第八の点は、前記第二の点、第四の点、及び第六の点と異なる、請求項３３に記載の胃内装置。
【請求項３６】
前記第二の開口表面領域の第七の点から前記第三の開口表面領域の第八の点までの前記第四の柔軟性部材の長さは０．０１ｍｍ〜１００ｍｍの範囲である、請求項３５に記載の胃内装置。
【請求項３７】
前記第一の金網構造体と前記第二の金網構造体は、すべての方向で互いに相対的な運動角度を有し、前記運動角度は、前記第一の金網構造体の中心、前記第一の開口表面領域の中心、及び前記第二の開口表面領域の中心を通る第一の長手方向軸と、前記第二の金網構造体の中心、前記第三の開口表面領域の中心、及び前記第四の開口表面領域の中心を通る第二の長手方向軸との角変位により規定される、請求項２９に記載の胃内装置。
【請求項３８】
前記角変位は９０°以下である、請求項３７に記載の胃内装置。
【請求項３９】
前記複数の柔軟性部材のぞれぞれは、前記第二の金網構造体を圧縮せずに前記第一の金網構造体がその赤道直径の９５％まで圧縮することができるような長さを有する、請求項２９に記載の胃内装置。
【請求項４０】
前記複数の柔軟性部材のそれぞれは、前記第一の金網構造体を９０％超圧縮した場合に、前記第二の金網構造体は１０％以下になった第一の金網構造体に対する角変位を有するような長さを有し、前記角変位は、前記第一の金網構造体の中心、前記第一の開口表面領域の中心、及び前記第二の開口表面領域の中心を通る第一の長手方向軸と前記第二の金網構造体の中心、前記第三の開口表面領域の中心、及び前記第四の開口表面領域の中心を通る第二の長手方向軸との相対角度により規定される、請求項２９に記載の胃内装置。
【請求項４１】
人の胃の中で展開するように構成された胃内装置であって、
前記胃内装置は、カテーテルと、第一の金網構造体と、環とを含み、
前記カテーテルは、筺体と、前記筺体を貫通して延びる２ｃｍ以下の内径を有する管腔を含み、
前記第一の金網構造体は、前記カテーテルの管腔内では圧縮された展開前の形状を、前記人の胃の中では拡張された展開後の形状を有し、前記展開前の形状は、１１０ｍｌ以下の第一の容積及び７５ｃｍ以下の第一の長さを有し、前記展開後の形状は、第一の複数の曲面により規定され、多孔性で閉鎖した１２５ｍｌ以上の第二の容積を有し、前記第一の金網構造体は、第一の上部及び第一の下部をさらに含み、前記第一の上部は、前記第二の容積の外側から前記第二の容積の中に材料が入るように構成された第一の開口を有し、前記下部は、徐々に細くなって直径で規定された第二の開口の中に収まる、前記第一の複数の曲面の部分を有し、
前記環は、前記下部に取り付けられると共に、前記第二の開口の中心を通る軸を中心に三次元空間で半円を回転させてできる回転面により規定され、前記環は２５ｍｍ以上の直径により規定される、胃内装置。